(57)【要約】      （修正有）【課題】組立てが簡単で各種容器の携帯が容易な容器携帯構造を提供する。【解決手段】容器携帯構造はフレーム１を含む。フレームは、分離可能な第１の半枠部１１と第２の半枠部１２とが接合軸１１１１、１２１１と枢軸Ｐ、及び係止端部１１１２と係止部材１２１２を介して、組み合わされて形成され、環状空間１０を画成する。第１の半枠部は、第１の枠体１１１を有し、第１の枠体の内縁壁に第１の弾性ライニング１１２が設けられ、第１の弾性ライニングの内縁壁の上下端に近接した箇所には、第１の弾性凸縁１１２１が設けられる。第２の半枠部は、第２の枠体１２１を有し、第２の枠体の内縁壁に、第２の弾性ライニング１２２が設けられ、第２の弾性ライニングの内縁壁の上下端に近接した箇所には、第２の弾性凸縁１２２１が設けられる。【選択図】図２
0003199503.tif 000002
【実用新案登録請求の範囲】
【請求項１】
フレームを含む容器携帯構造であって、
前記フレームは、第１の半枠部と第２の半枠部とが組み合わされて形成され、前記第１の半枠部と前記第２の半枠部とにより環状空間が画成され、前記第１の半枠部及び前記第２の半枠部により、分離可能な組み合わせ構造が形成され、
前記第１の半枠部は、第１の枠体を有し、
前記第１の枠体の内縁壁には、第１の弾性ライニングが設けられ、前記第１の弾性ライニングの内縁壁の上下端に近接した箇所には、第１の弾性凸縁が設けられ、
前記第２の半枠部は、第２の枠体を有し、前記第２の枠体の内縁壁には、第２の弾性ライニングが設けられ、前記第２の弾性ライニングの内縁壁の上下端に近接した箇所には、第２の弾性凸縁が設けられることを特徴とする容器携帯構造。
【請求項２】
前記フレームの前記第１の半枠部の前記第１の枠体は、一端に第１の接合軸を有し、他端に２つの係止端部を有し、
前記フレームの前記第２の半枠部の前記第２の枠体は、一端に２つの第２の接合軸を有し、前記第２の接合軸が前記第１の半枠部の前記第１の枠体の前記第１の接合軸の上下端に位置し、前記第２の枠体の前記２つの第２の接合軸と、前記第１の枠体の前記第１の接合軸とを枢着して連結させる枢軸を有し、他端に２つの掛止部材を有し、前記掛止部材が前記第１の枠体の前記２つの係止端部に対応して組み合わされて係合されることを特徴とする請求項１に記載の容器携帯構造。
【請求項３】
前記フレームは、第３の半枠部をさらに含み、
前記第３の半枠部は、前記第１の半枠部及び前記第２の半枠部と組み合わされると、前記第２の半枠部の外周に位置し、前記第１の半枠部及び前記第２の半枠部と着脱自在に組み合わされることを特徴とする請求項２に記載の容器携帯構造。
【請求項４】
前記第３の半枠部は、第３の枠体及び弾性被覆層を有し、
前記第３の半枠部の前記第３の枠体の一端には、２つの第３の接合軸が設けられ、前記第３の接合軸は、前記第２の半枠部の前記第２の枠体の前記２つの第２の接合軸に設置され、前記枢軸を介して前記第３の枠体の前記２つの第３の接合軸と、前記第２の枠体の前記２つの第２の接合軸と、前記第１の枠体の前記第１の接合軸とが連結され、
前記第３の半枠部の前記第３の枠体の他端には、係合部材が設けられ、前記第２の半枠部の前記第２の枠体が前記第３の枠体の前記係合部材と対応して組み合わされて係合される係合溝が形成され、
前記弾性被覆層は、一体成形され、前記第３の枠体の内縁壁の上下端を介し、前記第３の枠体の外縁壁を覆うことを特徴とする請求項３に記載の容器携帯構造。
【請求項５】
前記第１の枠体は、中空状を呈して前記第１の弾性ライニングの位置に対応した第１の中空領域が壁面に形成され、前記第１の弾性ライニングがポケット状を呈して前記第１の中空領域に位置し、外方へ突出された収納槽を有することを特徴とする請求項２に記載の容器携帯構造。
【請求項６】
前記第２の枠体は、壁面が中空状を呈し、前記第２の弾性ライニングに対応した位置に第２の中空領域を有することを特徴とする請求項２に記載の容器携帯構造。
【請求項７】
前記第３の枠体は、壁面が中空状を呈し、前記弾性被覆層に対応した位置に第３の中空領域を有することを特徴とする請求項４に記載の容器携帯構造。
【請求項８】
前記フレームは、ベルト孔を有し、
前記ベルト孔は、前記第１の半枠部又は前記第２の半枠部の内縁壁の両側端に設けられ、ベルトの両端がそれぞれ連結固定されることを特徴とする請求項１に記載の容器携帯構造。
【考案の詳細な説明】
【技術分野】
【０００１】
本考案は、容器携帯構造に関し、特に、各種容器の携行が容易な携帯構造に関する。
【背景技術】
【０００２】
プラスチック容器には液体が収容される。プラスチック容器は、通常、手で持つか、プラスチック袋の中へ入れて携行する。プラスチック容器を容易に携行することができるように様々な携帯用具が開発されている。例えば、ベルトを肩に掛けてプラスチック容器をどこにでも持ち運ぶことができる物がある。従来の代表的な携帯用具構造は、対応式クリップを互いに組み合わせてプラスチック容器の瓶体に掛合する。対応式クリップは、半円弧形状のリングを含む。リングの両側から外方へ延びたサイドウイング後端にはフックが設けられ、このフックにより互いに対応した２つのクリップのリングをプラスチック容器の瓶体の首部へ掛合させ、かつ、対応式クリップのサイドウイングを互いに当接させ、クリップのフックを真正面のクリップの位置決め孔へ挿入して固着し、ベルトの両端を２つのサイドウイングの長穿孔へ挿通させ、ベルトを手で持ったり肩に掛けたりする。
【０００３】
しかし、上述の従来技術では、対応式クリップにベルトを挿通させて固定させるためには、両手でクリップを持って組み合わせて互いに嵌着させなければならない上、両側のフックを対応した位置決め孔へ挿入して固着させなければ、対応した長穿孔の位置を互いに合わせることはできなかった。そのため、組立工程に多くの手間及び時間がかかる欠点があった。
【考案の概要】
【考案が解決しようとする課題】
【０００４】
本考案の目的は、使用者が使用する際、各種プラスチック容器を挟持することが容易な上、プラスチック容器の落下を防ぐことができる、各種容器の携行が容易な容器携帯構造を提供することにある。
【課題を解決するための手段】
【０００５】
本考案の容器携帯構造は、フレームを含む容器携帯構造であって、
前記フレームは、第１の半枠部と第２の半枠部とが組み合わされて形成され、前記第１の半枠部と前記第２の半枠部とにより環状空間が画成され、前記第１の半枠部及び前記第２の半枠部により、分離可能な組み合わせ構造が形成され、
前記第１の半枠部は、第１の枠体を有し、
前記第１の枠体の内縁壁には、第１の弾性ライニングが設けられ、前記第１の弾性ライニングの内縁壁の上下端に近接した箇所には、第１の弾性凸縁が設けられ、
前記第２の半枠部は、第２の枠体を有し、前記第２の枠体の内縁壁には、第２の弾性ライニングが設けられ、前記第２の弾性ライニングの内縁壁の上下端に近接した箇所には、第２の弾性凸縁が設けられることを特徴とする。
【図面の簡単な説明】
【０００６】
【図１】本考案の一実施形態に係る容器携帯構造を示す斜視図である。
【図２】本考案の一実施形態に係る容器携帯構造を示す分解斜視図である。
【図３】本考案の一実施形態に係る容器携帯構造のフレームの第１の半枠部、第２の半枠部、第３の半枠部がそれぞれ接続された状態を示す斜視図である。
【図４】図３のＡ部分の拡大図である。
【図５】本考案の一実施形態に係る容器携帯構造を示す部分断面斜視図である。
【図６】図５のＢ部分の拡大図である。
【図７】本考案の一実施形態に係る容器携帯構造を組立てる状態の説明図（１）である。
【図８】本考案の一実施形態に係る容器携帯構造を組立てる状態の説明図（２）である。
【図９】本考案の一実施形態に係る容器携帯構造の使用状態の説明図である。
【考案を実施するための形態】
【０００７】
まず、図１〜図６を参照する。図１〜図６に示すように、本考案の一実施形態に係る容器携帯構造は、フレーム１を含む。
【０００８】
フレーム１は、第１の半枠部１１と第２の半枠部１２とが組み合わされて形成され、第１の半枠部１１と第２の半枠部１２とにより環状空間１０が画成される。第１の半枠部１１及び第２の半枠部１２は、分離可能な組み合わせ構造に形成される。第１の半枠部１１は、第１の枠体１１１を有する。第１の枠体１１１は、プラスチックからなり、第１の枠体１１１の内縁壁には、第１の弾性ライニング１１２が設けられる。第１の弾性ライニング１１２の内縁壁の上下端に近接した箇所には、第１の弾性凸縁１１２１がそれぞれ設けられる。第１の弾性ライニング１１２は、滑り止め効果を有する弾性材料からなる。第１の弾性ライニング１１２と第１の枠体１１１とは一体成形されるか接着結合される。第２の半枠部１２は第２の枠体１２１を有する。第２の枠体１２１の内縁壁には、第２の弾性ライニング１２２が設けられ、第２の弾性ライニング１２２の内縁壁の上下端に近接した箇所には、第２の弾性凸縁１２２１が設けられる。第２の弾性ライニング１２２は、滑り止め効果を有する弾性材料からなる。第２の弾性ライニング１２２と第２の枠体１２１とは一体成形されるか接着結合される。
【０００９】
フレーム１の第１の半枠部１１の第１の枠体１１１は、一端に第１の接合軸１１１１を有し、他端に２つの係止端部１１１２を有する。フレーム１の第２の半枠部１２の第２の枠体１２１の一端には、２つの第２の接合軸１２１１が設けられる。２つの第２の接合軸１２１１は、第１の半枠部１１の第１の枠体１１１の第１の接合軸１１１１の上下端に位置し、第２の枠体１２１の２つの第２の接合軸１２１１と、第１の枠体１１１の第１の接合軸１１１１とを枢着して連結させる枢軸Ｐを有し、他端に２つの掛止部材１２１２を有し、掛止部材１２１２が第１の枠体１１１の２つの係止端部１１１２に対応して組み合わされて係合される。
【００１０】
第１の枠体１１１は、中空状を呈して第１の弾性ライニング１１２の位置に対応した第１の中空領域１１１３が壁面に形成され、第１の弾性ライニング１１２がポケット状を呈して第１の中空領域１１１３に位置し、外方へ突出された収納槽１１２２を有する。第２の枠体１２１の壁面は中空状を呈し、第２の弾性ライニング１２２に対応した第２の中空領域１２１３が形成される。
【００１１】
フレーム１には、第３の半枠部１３が設けられる。第３の半枠部１３は、第１の半枠部１１及び第２の半枠部１２と組み合わされると、第２の半枠部１２の外周に位置する。第３の半枠部１３は、第１の半枠部１１及び第２の半枠部１２と着脱自在に組み合わされる。
【００１２】
第３の半枠部１３は、第３の枠体１３１及び弾性被覆層１３２を有する。第３の枠体１３１は、プラスチックからなる。第３の半枠部１３の第３の枠体１３１の一端には、２つの第３の接合軸１３１１が設けられる。２つの第３の接合軸１３１１は、第２の半枠部１２の第２の枠体１２１の２つの第２の接合軸１２１１に設置され、枢軸Ｐを介して第３の枠体１３１の２つの第３の接合軸１３１１、第２の枠体１２１の２つの第２の接合軸１２１１と、第１の枠体１１１の第１の接合軸１１１１とが連結される。第３の半枠部１３の第３の枠体１３１の他端には、係合部材１３１２が設けられ、第２の半枠部１２の第２の枠体１２１が第３の枠体１３１の係合部材１３１２と対応して組み合わされ、係合状態の係合溝１２１４が形成される（図２〜図４を参照する）。弾性被覆層１３２は、一体成形され、第３の枠体１３１の内縁壁の上下端を介し、第３の枠体１３１の外縁壁を覆う。弾性被覆層１３２は、滑り止め効果を有する弾性材料からなる。弾性被覆層１３２と第３の枠体１３１とは、一体成形されるか接着方式により連結固定される（図５及び図６を参照する）。
【００１３】
第３の枠体１３１は、壁面が中空状を呈し、弾性被覆層１３２に対応した第３の中空領域１３１３を有する。第３の枠体１３１の弾性被覆層１３２は、中空状の貫通孔１３２１を複数有する。
【００１４】
フレーム１には、対応したベルト孔１４が設けられる。ベルト孔１４は、第１の半枠部１１又は第２の半枠部１２の内縁壁の両側端に設けられ、ベルト２の両端にそれぞれ設置されて連結固定され、本考案の対応したベルト孔１４には、第１の半枠部１１が設けられる。
【００１５】
図７〜図９を参照する。図７〜図９に示すように、本考案の一実施形態に係る容器携帯構造は、フレーム１を含む。
【００１６】
フレーム１は、第１の半枠部１１と第２の半枠部１２とが組み合わされて形成され、第１の半枠部１１と第２の半枠部１２とにより環状空間１０が画成される。第１の半枠部１１及び第２の半枠部１２は、分離可能に組み合わされる。フレーム１は、第３の半枠部１３を有する。第３の半枠部１３は、第１の半枠部１１及び第２の半枠部１２と組み合わされ、第２の半枠部１２の外周に位置する。第３の半枠部１３は、第１の半枠部１１及び第２の半枠部１２と着脱自在に組み合わされる。フレーム１は、ベルト孔１４を有する。ベルト孔１４は、第１の半枠部１１又は第２の半枠部１２の内縁壁に形成され、ベルト２の両端が連結固定される。本実施形態ではベルト孔１４が第１の半枠部１１に形成されている。
【００１７】
フレーム１の第１の半枠部１１、第２の半枠部１２及び第３の半枠部１３が開かれた状態のときに、第１の半枠部１１と第２の半枠部１２とを組み合わせて画成した環状空間１０内に容器３（例えば水筒又はペットボトル）を置いてから、第１の半枠部１１と第２の半枠部１２とを組み合わせて係合させ、第１の半枠部１１の第１の弾性ライニング１１２の内縁壁の上下端に近接した箇所には、第１の弾性凸縁１１２１が設けられる。第２の半枠部１２の第２の弾性ライニング１２２の内縁壁の上下端に近接した箇所に設けられた第２の弾性凸縁１２２１は、容器３の瓶体を高張力で当接して挟持固定する。第３の半枠部１３は、第１の半枠部１１及び第２の半枠部１２と組み合わされ、第２の半枠部１２の外周に位置する。第３の半枠部１３と第２の半枠部１２とが係合されると、第３の半枠部１３が第２の半枠部１２に対して力を加えて圧迫し、第１の半枠部１１及び第２の半枠部１２が容器３を挟持する力を高める。このように、使用者は、使用する際、各種容器３を容易に挟持することができる上、ベルト２を手で持ったり肩に掛けたりする際、第１の半枠部１１の第１の弾性ライニング１１２の内縁壁の上下端に近接した箇所に設けられた第１の弾性凸縁１１２１と、第２の半枠部１２の第２の弾性ライニング１２２の内縁壁の上下端に近接した箇所に設けられた第２の弾性凸縁１２２１とがともに滑り止め効果を有する弾性材料からなるため、容器３の落下を防ぐことができる上、様々な容器の携行が容易となる。
【符号の説明】
【００１８】
１  フレーム
２  ベルト
３  容器
１０  環状空間
１１  第１の半枠部
１２  第２の半枠部
１３  第３の半枠部
１４  ベルト孔
１１１  第１の枠体
１１２  第１の弾性ライニング
１２１  第２の枠体
１２２  第２の弾性ライニング
１３１  第３の枠体
１３２  弾性被覆層
１１１１  第１の接合軸
１１１２  係止端部
１１１３  第１の中空領域
１１２１  第１の弾性凸縁
１１２２  収納槽
１２１１  第２の接合軸
１２１２  掛止部材
１２１３  第２の中空領域
１２１４  係合溝
１２２１  第２の弾性凸縁
１３１１  第３の接合軸
１３１２  係合部材
１３１３  第３の中空領域
１３２１  貫通孔
Ｐ  枢軸
【図１】
0003199503.tif 000003
【図２】
0003199503.tif 000004
【図３】
0003199503.tif 000005
【図４】
0003199503.tif 000006
【図５】
0003199503.tif 000007
【図６】
0003199503.tif 000008
【図７】
0003199503.tif 000009
【図８】
0003199503.tif 000010
【図９】
0003199503.tif 000011